(57)【要約】【課題】熱供給手段におけるエネルギー消費が少なく、総合エネルギー効率の高いコージェネレーションシステムの提供を目的とする。【解決手段】コージェネレーションシステム２００は、発電手段２０１において発生した排熱あるいは給湯装置６おいて加熱された湯水が流れる熱源循環回路２０３と、熱源循環回路２０３を流れる湯水が貯留される貯留タンク２０５とを備えている。コージェネレーションシステム２００の駆動を司る制御装置２８１は、給湯装置６による湯水の加熱の要否を判断し、給湯装置６への電力供給を制御する。【選択図】  図１
2004263901.tif 000002
【特許請求の範囲】
【請求項１】
複数の熱供給手段を備えたコージェネレーション系内に、熱供給手段において加熱された湯水が流れる流水回路を有し、当該流水回路には内部を流れる湯水を系外に排出又は循環させる湯水供給流路が一又は複数接続されており、前記複数の熱供給手段の一又は一群は、主として前記湯水供給流路を流れる湯水を加熱する熱供給手段Ａであり、前記複数の熱供給手段の一又は一群は、主として流水回路を流れる湯水の加熱に必要な熱量が熱供給手段Ａの加熱能力を超える場合に起動し、熱供給手段Ａによる湯水の加熱を補助する熱供給手段Ｂであり、熱供給手段Ｂは電力負荷を有し、熱供給手段Ｂによる湯水の加熱の要否に応じて熱供給手段Ｂへの電力供給を制御する制御手段を具備していることを特徴とするコージェネレーションシステム。
【請求項２】
複数の熱供給手段を備えたコージェネレーション系内に、熱供給手段において加熱された湯水が流れる流水回路と、当該流水回路内を流れる湯水を貯留する貯留手段とを有し、当該流水回路には前記流水回路内を流れる湯水を系外に排出又は循環させる湯水供給流路が一又は複数接続されており、前記複数の熱供給手段の一又は一群は、主として前記湯水供給流路を流れる湯水を加熱する熱供給手段Ａであり、前記複数の熱供給手段の一又は一群は、主として流水回路を流れる湯水の加熱に必要な熱量が熱供給手段Ａの加熱能力を超える場合に起動し、熱供給手段Ａによる湯水の加熱を補助する熱供給手段Ｂであり、熱供給手段Ｂは電力負荷を有し、前記貯留手段における所定温度以上の湯水の貯留量に応じて熱供給手段Ｂへの電力供給を制御する制御手段を具備していることを特徴とするコージェネレーションシステム。
【請求項３】
貯留手段は、貯留されている湯水の温度を検知する湯温検知手段を有し、制御手段は、湯水供給流路を介して系外に排出又は循環させる湯水の設定温度と、系外から流水回路に供給される湯水の温度とに応じて決定される基準温度よりも湯温検知手段により検知される検知温度が低い場合に熱供給手段Ｂによる湯水の加熱を行うことを特徴とする請求項２に記載のコージェネレーションシステム。
【請求項４】
貯留手段は、貯留されている湯水の温度を検知する湯温検知手段を有し、流水回路には前記流水回路内を流れる湯水を系外に排出させる湯水供給流路が複数接続されており、制御手段は、複数の湯水供給流路のうち、最も高温の湯水を排出させる湯水供給流路を流れる湯水の設定温度に応じて決定される基準温度よりも湯温検知手段により検知される検知温度が低い場合に熱供給手段Ｂによる湯水の加熱を行うことを特徴とする請求項２に記載のコージェネレーションシステム。
【請求項５】
貯留手段は、貯留されている湯水の温度を検知する湯温検知手段を有し、流水回路には前記流水回路内を流れる湯水を系外に給湯する給湯回路と、前記流水回路内を流れる湯水を浴槽に落とし込むための浴槽回路とが接続されており、制御手段は、給湯及び浴槽への湯水の落とし込みを同時に行う場合であって、浴槽回路を流れる湯水の設定温度に応じて決定される基準温度よりも湯温検知手段により検知される検知温度が低い場合に熱供給手段Ｂによる湯水の加熱を行うことを特徴とする請求項２に記載のコージェネレーションシステム。
【請求項６】
複数の熱供給手段を備えたコージェネレーション系内に、熱供給手段において加熱された湯水が流れる流水回路を有し、当該流水回路には内部を流れる湯水を系外に排出又は循環させる湯水供給流路が一又は複数接続されており、前記複数の熱供給手段の一又は一群は、主として前記湯水供給流路を流れる湯水を加熱する熱供給手段Ａであり、前記複数の熱供給手段の一又は一群は、主として流水回路を流れる湯水の加熱に必要な熱量が熱供給手段Ａの加熱能力を超える場合に起動し、熱供給手段Ａによる湯水の加熱を補助する熱供給手段Ｂであり、当該熱供給手段Ｂは電力負荷を有し、熱供給手段Ｂの作動状態を補正する補正値を記憶可能な記憶手段と、熱供給手段Ｂによる湯水の加熱が不要である場合に熱供給手段Ｂへの電力供給を停止する制御手段とを具備し、前記記憶手段に記憶された補正値は、熱供給手段Ｂへの電力供給の停止時であっても消去されないことを特徴とするコージェネレーションシステム。
【請求項７】
制御手段は、熱供給手段Ｂが所定の動作を行うことを条件として記憶手段に記憶された補正値の一部又は全部を消去することを特徴とする請求項６に記載のコージェネレーションシステム。
【発明の詳細な説明】
【０００１】
【発明の属する技術分野】
本発明はコージェネレーションシステムに関するものであり、特に熱供給手段における消費電力の抑制動作に特徴を有するものである。
【０００２】
【従来の技術】
近年、環境問題や省エネルギー等の観点から、総合エネルギー効率の高い給湯装置の提供が要求されている。また、従来より、浴槽への湯水の落とし込みや給湯、暖房等複数の目的に用いる湯水を安定して供給可能な給湯装置の提供が要求されている。そこで近年、これらの要求に応えるべく、複数の熱供給手段を組み合わせることにより湯水を加熱するコージェネレーションシステムが提供されている。
【発明が解決しようとする課題】
従来のコージェネレーションシステムでは、複数の熱供給手段がそれぞれの機能を補完し合うことによって、装置全体としての高い総合エネルギー効率を得る構成とされている。しかし、コージェネレーションシステムのエネルギー効率を向上させるためには、コージェネレーションシステムを構成する熱供給手段自身の作動に伴って消費されるエネルギーも極力抑制する必要がある。
【０００３】
そこで、本発明では、熱供給手段におけるエネルギー消費が少なく、総合エネルギー効率の高いコージェネレーションシステムの提供を目的とした。
【０００４】
【課題を解決するための手段】
上記課題を解決すべく提供される請求項１に記載の発明は、複数の熱供給手段を備えたコージェネレーション系内に、熱供給手段において加熱された湯水が流れる流水回路を有し、当該流水回路には内部を流れる湯水を系外に排出又は循環させる湯水供給流路が一又は複数接続されており、前記複数の熱供給手段の一又は一群は、主として前記湯水供給流路を流れる湯水を加熱する熱供給手段Ａであり、前記複数の熱供給手段の一又は一群は、主として流水回路を流れる湯水の加熱に必要な熱量が熱供給手段Ａの加熱能力を超える場合に起動し、熱供給手段Ａによる湯水の加熱を補助する熱供給手段Ｂであり、熱供給手段Ｂは電力負荷を有し、熱供給手段Ｂによる湯水の加熱の要否に応じて熱供給手段Ｂへの電力供給を制御する制御手段を具備していることを特徴とするコージェネレーションシステムである。
【０００５】
本発明のコージェネレーションシステムは、主として熱供給手段Ａによって湯水の加熱を行うものであり、熱供給手段Ｂは、熱供給手段Ａの加熱能力を補完するものである。そのため、本発明のコージェネレーションシステムでは、熱供給手段Ｂによる湯水の加熱が必要な場合にのみ熱供給手段Ｂが起動すればよい。
【０００６】
上記したように、本発明のコージェネレーションシステムは、熱供給手段Ｂによる湯水の加熱の要否に応じて、制御手段によって熱供給手段Ｂへの電力供給を制御可能なものである。そのため、上記した構成によれば、熱供給手段Ｂによる湯水の加熱が不要な場合に熱供給手段Ｂへの通電を停止し、熱供給手段Ｂの待機電力を最小限に抑制することができる。
【０００７】
請求項２に記載の発明は、複数の熱供給手段を備えたコージェネレーション系内に、熱供給手段において加熱された湯水が流れる流水回路と、当該流水回路内を流れる湯水を貯留する貯留手段とを有し、当該流水回路には前記流水回路内を流れる湯水を系外に排出又は循環させる湯水供給流路が一又は複数接続されており、前記複数の熱供給手段の一又は一群は、主として前記湯水供給流路を流れる湯水を加熱する熱供給手段Ａであり、前記複数の熱供給手段の一又は一群は、主として流水回路を流れる湯水の加熱に必要な熱量が熱供給手段Ａの加熱能力を超える場合に起動し、熱供給手段Ａによる湯水の加熱を補助する熱供給手段Ｂであり、熱供給手段Ｂは電力負荷を有し、前記貯留手段における所定温度以上の湯水の貯留量に応じて熱供給手段Ｂへの電力供給を制御する制御手段を具備していることを特徴とするコージェネレーションシステムである。
【０００８】
本発明のコージェネレーションシステムは、主として熱供給手段Ａによって加熱された湯水が流れる流水回路と、この流水回路内を流れる湯水を貯留する貯留手段とを具備している。そして、前記流水回路には前記流水回路内を流れる湯水を系外に排出あるいは循環させる湯水供給流路が接続されている。そのため、本発明のコージェネレーションシステムでは、例えば貯留部に貯留されている所定温度以上の湯水の貯留量が少ない場合のように流水回路を流れる湯水の加熱に必要な熱量が熱供給手段Ａの加熱能力を超える場合に、熱供給手段Ｂによって流水回路内を流れる湯水を加熱し、熱供給手段Ａの加熱能力を補完せざるを得ない場合がある。
【０００９】
本発明のコージェネレーションシステムによれば、貯留手段に貯留されている所定温度以上の湯水の量に応じて、熱供給手段Ｂによって湯水を加熱せざるを得ない場合にのみ熱供給手段Ｂに電力を供給することが可能である。そのため、上記した構成によれば、熱供給手段Ｂによる湯水の加熱が不要な場合に熱供給手段Ｂへの通電を停止し、コージェネレーションシステム全体の総合エネルギー効率をより一層向上させることができる。
【００１０】
請求項３に記載の発明は、貯留手段が、貯留されている湯水の温度を検知する湯温検知手段を有し、制御手段は、湯水供給流路を介して系外に排出又は循環させる湯水の設定温度と、系外から流水回路に供給される湯水の温度とに応じて決定される基準温度よりも湯温検知手段により検知される検知温度が低い場合に熱供給手段Ｂによる湯水の加熱を行うことを特徴とする請求項２に記載のコージェネレーションシステムである。
【００１１】
上記した構成によれば、系外から流水回路に供給される湯水の温度が加味された基準温度に基づいて熱供給手段Ｂによる湯水の加熱の要否を判定することができるため、湯水供給流路を介して系外に排出又は循環させる湯水の温度を精度よく調整することができる。
【００１２】
また、請求項４に記載の発明は、貯留手段が、貯留されている湯水の温度を検知する湯温検知手段を有し、流水回路には前記流水回路内を流れる湯水を系外に排出させる湯水供給流路が複数接続されており、制御手段は、複数の湯水供給流路のうち、最も高温の湯水を排出させる湯水供給流路を流れる湯水の設定温度に応じて決定される基準温度よりも湯温検知手段により検知される検知温度が低い場合に熱供給手段Ｂによる湯水の加熱を行うことを特徴とする請求項２に記載のコージェネレーションシステムである。
【００１３】
本発明のコージェネレーションシステムでは、複数の湯水供給流路のうち、最も高温の湯水を排出させる湯水供給流路を流れる湯水の設定温度に応じて決定される基準温度に基づいて熱供給手段Ｂによる湯水の加熱の要否を判定することができるため、湯水供給流路を介して系外に排出又は循環させる湯水の温度を精度よく調整することができる。
【００１４】
また、上記請求項２に記載の発明において、貯留手段は、貯留されている湯水の温度を検知する湯温検知手段を有し、流水回路には前記流水回路内を流れる湯水を系外に給湯する給湯回路と、前記流水回路内を流れる湯水を浴槽に落とし込むための浴槽回路とが接続されており、制御手段は、給湯及び浴槽への湯水の落とし込みを同時に行う場合であって、浴槽回路を流れる湯水の設定温度に応じて決定される基準温度よりも湯温検知手段により検知される検知温度が低い場合に熱供給手段Ｂによる湯水の加熱を行うことを特徴とするものであってもよい。（請求項５）
【００１５】
本発明では、給湯と落とし込みとを同時に使用する際に、給湯回路を流れる湯水の設定温度によらず常に浴槽回路を流れる湯水の設定温度に応じて基準温度が設定される。そのため、給湯回路を流れる湯水の設定温度が、浴槽回路に対する設定温度よりも過度に高い場合であっても、浴槽に落とし込まれる湯水は過剰に高温にならない。そのため、上記した構成によれば、給湯と落とし込みとを同時に行う場合であっても、快適に入浴可能な温度の湯水を浴槽内に落とし込むことができる。
【００１６】
請求項６に記載の発明は、複数の熱供給手段を備えたコージェネレーション系内に、熱供給手段において加熱された湯水が流れる流水回路を有し、当該流水回路には内部を流れる湯水を系外に排出又は循環させる湯水供給流路が一又は複数接続されており、前記複数の熱供給手段の一又は一群は、主として前記湯水供給流路を流れる湯水を加熱する熱供給手段Ａであり、前記複数の熱供給手段の一又は一群は、主として流水回路を流れる湯水の加熱に必要な熱量が熱供給手段Ａの加熱能力を超える場合に起動し、熱供給手段Ａによる湯水の加熱を補助する熱供給手段Ｂであり、当該熱供給手段Ｂは電力負荷を有し、熱供給手段Ｂの作動状態を補正する補正値を記憶可能な記憶手段と、熱供給手段Ｂによる湯水の加熱が不要である場合に熱供給手段Ｂへの電力供給を停止する制御手段とを具備し、前記記憶手段に記憶された補正値は、熱供給手段Ｂへの電力供給の停止時であっても消去されないことを特徴とするコージェネレーションシステムである。
【００１７】
本発明のコージェネレーションシステムは、主として熱供給手段Ａによって湯水の加熱を行うものであり、熱供給手段Ｂは、熱供給手段Ａの加熱能力を補完するものである。そのため、本発明のコージェネレーションシステムでは、総合エネルギー効率を向上させるべく、熱供給手段Ｂによる湯水の加熱が必要な場合にのみ熱供給手段Ｂに通電し、その他の場合は熱供給手段Ｂへの通電を停止しておくことが望ましい。
またその一方で、コージェネレーションシステムの総合エネルギー効率を高レベルに維持するためには、各熱供給手段の動作を所定の条件で補正し、動作が安定する条件下で動作させることが望ましい。
【００１８】
上記したように、本発明のコージェネレーションシステムは、当該熱供給手段Ｂの作動状態を補正する補正値を記憶可能な記憶手段と、熱供給手段Ｂによる湯水の加熱が不要である場合に熱供給手段Ｂへの電力供給を停止する制御手段とを具備している。さらに、前記記憶手段に記憶された補正値は、熱供給手段Ｂへの電力供給の停止時であっても消去されない。そのため本発明によれば、熱供給手段Ｂによる湯水の加熱が必要な場合にのみ熱供給手段Ｂに通電することにより熱供給手段Ｂにおける消費電力を最小限に抑制すると共に、熱供給手段Ｂを起動したときの動作安定性を確保することができる。従って、上記した構成によれば、総合エネルギー効率の高いコージェネレーションシステムを提供できる。
【００１９】
上記した請求項６に記載のコージェネレーションシステムでは、熱供給手段Ｂによる湯水の加熱が不要な場合に、熱供給手段Ｂへの通電を停止しても、熱供給手段Ｂによって湯水を加熱する場合には記憶手段に記憶された補正値によって熱供給手段Ｂの動作を補正することができる。しかし、上記した請求項３に記載のコージェネレーションシステムでは、例えばメンテナンスを行った後のように、記憶手段に記憶された補正値をリセットすべき場合であっても、熱供給手段Ｂの動作は、メンテナンス前の補正値に応じて補正されてしまい、熱供給手段Ｂの動作がかえって不安定になり、エネルギー効率も損なわれるおそれがある。
【００２０】
そこで上記した問題を解決すべく提供される請求項７に記載の発明は、請求項６に記載のコージェネレーションシステムにおいて、制御手段は、熱供給手段Ｂが所定の動作を行うことを条件として記憶手段に記憶された補正値の一部又は全部を消去することを特徴とするものである。
【００２１】
かかる構成によれば、必要に応じて記憶手段に記憶された補正値をリセットすることができ、熱供給手段Ｂの動作の安定性をより一層向上させることが可能である。
【００２２】
【発明の実施の形態】
続いて、本発明の第１実施形態であるコージェネレーションシステムについて図面を参照しながら詳細に説明する。図１は、本発明の第１実施形態のコージェネレーションシステムを示す作動原理図である。また、図２は、図１のコージェネレーションシステムにおいて採用されている給湯装置を示す作動原理図である。また、図３〜図５は、本実施形態のコージェネレーションシステムにおける湯水の流れを示す作動原理図である。図６および図７は、本実施形態のコージェネレーションシステムの動作を示すフローチャート図である。
【００２３】
図１において、２００は本実施形態のコージェネレーションシステムである。コージェネレーションシステム２００は、発電に伴って発生する排熱により湯水を加熱可能な発電手段２０１（熱供給手段Ａ）と、給湯装置２０２（熱供給手段Ｂ）とにより構成されるコージェネレーション系Ｓを形成している。コージェネレーションシステム２００は、コージェネレーション系Ｓ内に設けられた各センサの検知信号に基づいて弁の開閉や、発電手段２０１および給湯装置２０２の駆動を司る制御部２４１を具備している。
【００２４】
給湯装置２０２は、貯留タンク２０５および熱源循環回路２０３内を流れる湯水の加熱に必要な熱量が発電手段２０１の作動に伴って加熱可能な熱量を越える場合に作動して湯水を加熱するものである。即ち、給湯装置２０２は、常時は休止状態にあり、発電手段２０１の作動によって湯水を給湯に要求される温度に加熱できない場合に作動するものである。要するに、給湯装置２０２は、発電手段２０１による湯水の加熱を補助する補助熱源装置として機能するものである。
【００２５】
給湯装置２０２は、図２に示すように従来より公知の給湯装置と同様の構成を有するものである。さらに具体的には、給湯装置２０２は、大別して燃焼部２５１と、燃焼部２５１において発生した燃焼ガスと湯水などの熱媒体とが熱交換を行う熱交換部２５２と、燃焼部２５１に空気を供給する給気部２５３と、熱交換部２５２を通過した燃焼ガスを外部に排出する排気部２５５とから構成されている。
【００２６】
燃焼部２５１は、外部から供給された燃料ガスを燃焼するバーナ２５６と燃焼空間部２５７とから構成されている。バーナ２５６は、１１基の炎孔部材２５８が並列に並べられたものである。バーナ２５６の上方には、炎孔部材２５８から噴出された燃料に点火する点火装置２５４ａと、火炎の有無を検知するフレームロッド２５４ｂと、バーナ２５６に形成される火炎の温度を検知するバーナセンサ２５４ｃとが設けられている。
【００２７】
バーナ２５６には、外部から燃料を供給するための燃料供給管２６０が接続されている。燃料供給管２６０の中途には、バーナ２５６に供給されるガス流量を調整する流量調整装置２５９が接続されている。
【００２８】
バーナ２５６において燃料が燃焼して発生した高温の燃焼ガスは、燃焼空間部２５７を通過し、熱交換部２５２側へと流れる。熱交換部２５２は、燃焼空間部２５７に連続しており、バーナ２５６の燃焼動作に伴い発生した高温の燃焼ガスと熱交換を行う熱交換器２６１を具備している。熱交換器２６１には、湯水が流れる流水回路２６３が接続されている。流水回路２６３は、外部から湯水を供給する流入側流路２６５と、熱交換器２６１において加熱された湯水を外部に供給する流出側流路２６６とを備えている。
【００２９】
流入側流路２６５は、中途に水量センサ２６７と入水サーミスタ２６８とが設けられている。また、流入側流路２６５の上流端は、後述する給湯復路２１２に接続される入湯口２１１となっている。水量センサ２６７は、流入側流路２６５を介して外部から供給される水量を検知するものである。また、入水サーミスタ２６８は、外部から供給される湯水の水温を検知するものである。水量センサ２６７および入水サーミスタ２６８は、共に後述する制御装置２８１に接続されている。
【００３０】
流出側流路２６６は、熱交換器２６１において高温の燃焼ガスと熱交換して加熱された湯水が流れる流路であり、その下流端が後述する給湯往路２１０に接続される出湯口２０８となっている。流出側流路２６６の中途には、水量調整弁２７１と、湯温検知サーミスタ２７２と、攪拌部２７３と、出湯サーミスタ２７５とが設けられている。水量調整弁２７１は、流出側流路２６６の流路を開閉することにより、水量調整弁２７１よりも下流側に流れる高温の湯水の流量を調整するものである。また、湯温検知サーミスタ２７２は、熱交換器２６１において加熱された高温の湯水の温度を検知するものである。
【００３１】
攪拌部２７３は、流出側流路２６６と、後述するバイパス流路２７６との接続部に設けられている。攪拌部２７３では、熱交換器２６１において加熱された高温の湯水と、バイパス流路２７６を介して流入する比較的低温の湯水とが混合される。攪拌部２７３の下流側には、出湯サーミスタ２７５が設けられている。出湯サーミスタ２７５は、攪拌部２７３において攪拌された湯水の温度を検知するものである。湯温検知サーミスタ２７２および出湯サーミスタ２７５は、いずれも後述する制御装置２８１に接続されており、これらの検知信号が制御装置２８１に入力される。また、水量調整弁２７１は、制御装置２８１に接続されており、制御装置２８１からの信号を受けて弁を開閉し、水量調整弁２７１よりも下流側に流れる高温の湯水の流量を調整する。
【００３２】
流入側流路２６５と流出側流路２６６とは、バイパス流路２７６によってバイパスされている。バイパス流路２７６の流出側流路２６６側の端部は、上記した攪拌部２７３に接続されている。バイパス流路２７６の中途には、バイパス流量センサ２７７とバイパス水量調整弁２７８とが設けられている。バイパス水量センサ２７７は、バイパス流路２７６内を流れる湯水の水量を検知するものであり、この検知結果が制御装置２８１に入力される。また、バイパス水量調整弁２７８は、制御装置２８１からの信号に基づいて開度を調整し、これにより攪拌部２７３に流れ込む水量を調整するものである。
【００３３】
給気部２５３は、内部にファン２８０（送風手段）を内蔵しており、バーナ２５６の燃焼状態に応じてファン２８０の回転数を変化させ、送風量および送風圧力を調整することができる。また、ファン２８０の回転数は、後述する作動状態関連データのうち、ファン２８０に流れる電流値やフレームロッド２５４ｂの検知電流等起因するデータに基づいて複数段に調整される。
【００３４】
制御装置２８１は、給湯装置２０２全体の作動を司るものであり、上記した各センサ２６７，２７７の検知信号が入力されるものであると同時に、これらの検知信号に基づいて、流量調整装置２５９や、水量調整弁２７１、バイパス水量調整弁２７８、バーナ２５６、ファン２８０などの駆動制御を行うものである。
【００３５】
制御装置２８１は、コージェネレーションシステム２００全体の駆動を司る制御部２４１に接続されており、制御部２４１と記憶部２８２との間でデータの送受信を行うことができる。制御装置２８１は、給湯装置２０２への通電が停止しても記憶されているデータが消去されない不揮発性の記憶部２８２を備えている。記憶部２８２は、給湯装置２０２の動作履歴に関するデータや、動作状況に関するデータ、動作補正に関するデータ、設置状態や作動状態に関するデータ等に代表されるデータ（以下、作動状態関連データと総称する）が記憶される。さらに具体的には、給湯装置２０２の動作履歴に関するデータは、給湯装置２０２への通電時間、燃焼動作の積算時間、燃焼動作を行った回数等のデータである。また、給湯装置２０２の動作状況に関するデータは、バーナセンサ２５４ｃにより検知された電流値、ファン２８０に流れる電流値等のデータである。給湯装置２０２の動作補正に関するデータは、ファン２８０の動作補正に関するデータのように、前記した動作履歴や動作状況に関するデータに基づいて設定される補正値である。設置状態や作動状態に関するデータとは、給湯装置２０２の設置位置や設置条件に基づいて設定されるものであり、例えば排気補正値や高度補正値等がこのデータに相当する。
【００３６】
図１に示すように、コージェネレーションシステム２００は、発電手段２０１および給湯装置２０２において加熱された湯水が流れる熱源循環回路２０３と、湯水を貯留する貯留タンク２０５（貯留部）と、外部から湯水を供給する給水管２０６と、コージェネレーションシステム２００において加熱された湯水を外部に供給する給湯回路２０７とを具備している。また、コージェネレーションシステム２００において、貯留タンク２０５と熱源循環回路２０３は、一連の閉回路を形成している。
【００３７】
熱源循環回路２０３は、給湯装置２０２の出湯口２０８に接続された給湯往路２１０と、給湯装置２０２の入湯口２１１に接続された給湯復路２１２とを有する。給湯往路２１０は、分岐部Ｄ１において混合弁２１３に繋がる分岐給湯往路２１５と、貯留タンク２０５に繋がる貯留部給湯管２１６に分岐されている。
【００３８】
貯留タンク２０５は、給湯往路２１０内を流れる湯水を上端側に接続された貯留部給湯管２１６から流入させて貯留すると共に、必要に応じて内部に貯留されている湯水を貯留部給湯管２１６から分岐給湯往路２１５側に流出させるものである。そのため、貯留タンク２０５内に貯留される湯水は、頂部側に近づくほど高温であり、頂部側から底部側に向けて徐々に低温になる層状の温度分布が形成される。
【００３９】
貯留タンク２０５には、給湯往路２１０内を流れる湯水が上端側の貯留部給湯管２１６から流入するため、貯留タンク２０５の上端側から下端側に向けて層状の湯温分布が形成される。貯留タンク２０５には、内部に貯留されている湯水の高さ方向の温度分布を検知するために、最上部温度センサ２１７、上部温度センサ２１８、中部温度センサ２２０および下部温度センサ２２１が設けられている。そのため制御部２４１は、各温度センサ２１７，２１８，２２０，２２１の検知信号に基づいて、所定温度以上の湯水が貯留タンク２０５内にどれだけ貯留されているかを判断できる。
【００４０】
さらに詳細に説明すると、貯留タンク２０５に設置された上部温度センサ２１８の検知温度が所定温度Ｔ以下である場合、制御部２４１は、貯留タンク２０５内に給湯時に必要な湯水が不足していると判断する。また、最上部温度センサ２１７の検知温度が所定温度Ｔ以下である場合、貯留タンク２０５内に給湯時に必要な湯水が大幅に不足しており、貯留タンク２０５内の湯水の大半が低温であると判断する。ここで、所定温度Ｔは、外部から供給される湯水の温度（入水温度）を加味して適宜変更される。
【００４１】
給湯復路２１２は、貯留タンク２０５の下方側と給湯装置２０２の入湯口２１１とを接続する流路であり、その中途に貯留タンク２０５側から順に、エアセパレータ２２２と、循環ポンプ２２３と、排熱熱交換器２２５と、循環流量センサ２２６と、循環水比例弁２２７とが接続されている。給湯復路２１２の中途にあるエアセパレータ２２２は、熱源循環回路２０３中に含まれている空気を外部に排出するものである。また、エアセパレータ２２２には、貯留タンク２０５の下部に設けられた貯留部排出管２２８が接続されている。循環ポンプ２２３は、貯留タンク２０５側から給湯装置２０２側に向けて湯水を循環させるものである。排熱熱交換器２２５は、発電手段２０１において発生した排熱によって給湯復路２１２内を流れる湯水を加熱するものである。さらに具体的には、排熱熱交換器２２５は、発電手段２０１の排熱によって加熱された湯水が流れる流路２２４が接続され、流路２２４内を流れる湯水との熱交換により給湯復路２１２内を流れる湯水を加熱するものである。また、循環流量センサ２２６は、給湯復路２１２を流れる水量を検知するものであり、その下流側にある循環水比例弁２２７は、給湯装置２０２に流入する水量を調整するものである。
【００４２】
給水管２０６は、外部からコージェネレーションシステム２００の系内に湯水を導入するものであり、中途に減圧弁２３０と、混合弁２１３側に湯水を導く逆止弁２３１と、外部から導入される湯水の温度を検知する水温センサ２３２が設けられている。給水管２０６は、逆止弁２３１よりも上流側の分岐部Ｄ２において分岐され、外部から導入された湯水を貯留タンク２０５の下端側に供給する貯留部給水管２３３が形成されている。貯留部給水管２３３の中途には、給水管２０６側から貯留タンク２０５側へ湯水を導き、貯留タンク２０５内の湯水の逆流を防止する逆止弁２３５が設けられている。貯留部給水管２３３は、分岐給湯往路２１５を通って混合弁２１３に供給される湯水と略同量の湯水を給水するものである。貯留タンク２０５は、貯留部給水管２３３を介して湯水を供給することによって常に満水状態に維持される。
【００４３】
給湯回路２０７は、給湯栓２３６に繋がる流路であり、中途に流量センサ２３７と、給湯温度センサ２４０と、比例弁２３８とが設けられている。給湯回路２０７には、給湯往路２１０の中途の分岐部Ｄ１で分岐された分岐給湯往路２１５と、外部から湯水を供給する給水管２０６とが混合弁２１３を介して接続されている。そのため、給湯回路２０７には、給水管２０６を介して供給される低温の水と、給湯往路２１０を流れる高温の湯水とが混合されることにより水温が調整された湯水が流れる。
【００４４】
本実施形態のコージェネレーションシステム２００は、主として発電手段２０１において発生した排熱により湯水を加熱するものである。さらに具体的には、図３に示すように、給湯装置２０２の作動時は、混合弁２１３が分岐給湯往路２１５に対して閉止した状態で循環ポンプ２２３が作動し、給湯往路２１０、貯留部給湯管２１６、貯留タンク２０５、貯留部排出管２２８、並びに、給湯復路２１２によって形成される閉回路内を湯水が循環する。その一方で、発電手段２０１において発生した排熱により加熱された湯水が、流路２２４内を流れ、排熱熱交換器２２５に順次供給される。そのため、閉回路内を流れる湯水は、排熱熱交換器２２５における熱交換器より次第に加熱され、貯留タンク２０５内に貯留される。
【００４５】
本実施形態のコージェネレーションシステム２００では、主として貯留タンク２０５内に貯留されている湯水が給湯に使用される。さらに具体的には、図４に示すように、給湯栓２３６が開栓されると、給水管２０６を介して外部から混合弁２１３に湯水が供給されると共に、貯留部給水管２３３を介して貯留タンク２０５の底部側に湯水が導入される。ここで、コージェネレーションシステム２００が給湯動作を行う場合、循環水比例弁２２７は閉栓あるいは開度が大幅に絞られている。また、混合弁２１３は、分岐給湯往路２１５に対して開成されている。そのため、外部から貯留タンク２０５内に導入された湯水の大半によって、貯留タンク２０５内に貯留されている湯水が押し上げられ、貯留部給湯管２１６を介して分岐給湯往路２１５側に排出される。貯留タンク２０５から排出された高温の湯水は、混合弁２１３において給水管２０６を介して供給される湯水と給湯温度に応じて適当な割合で混合され、給湯回路２０７を介してコージェネレーション系Ｓ外に排出される。
【００４６】
コージェネレーションシステム２００では、貯留タンク２０５における高温の湯水の残量が少ない場合に貯留タンク２０５内の湯水を使用して給湯を行うと、出湯温度が所定の設定温度に対して低くなったり、出湯温度の脈動が起こるおそれがある。そのため、コージェネレーションシステム２００では、貯留タンク２０５内に温度Ｔ以上の高温の湯水が所定量に満たない場合に制御部２４１が給湯装置２０２を起動させ、これにより加熱された湯水を給湯に使用する。
【００４７】
さらに具体的には、貯留タンク２０５に設置された上部温度センサ２１８の検知温度が所定温度Ｔ以下であり、貯留タンク２０５内に給湯時に必要な湯水が不足していると想定される状態で給湯栓２３６が開栓されると、制御部２４１は、給湯装置２０２に電力を供給して給湯装置２０２を起動させると共に、循環ポンプ２２３を起動させる。またこの時、混合弁２１３および循環水比例弁２２７は、コージェネレーションシステム２００の使用者等によって制御部２４１に設定された出湯設定温度に応じて所定の開度に調整される。給湯装置２０２により加熱され高温になった湯水は、図５に示すように給湯往路２１０および分岐給湯往路２１５を介して混合弁２１３に供給される。給湯装置２０２において加熱された湯水は、混合弁２１３において給水管２０６を介して外部から供給された湯水と混合された後、給湯回路２０７を介してコージェネレーション系Ｓの外部に排出される。
【００４８】
上記したように、コージェネレーションシステム２００では、貯留タンク２０５における所定温度Ｔ以上の高温の湯水の貯留量が所定量に満たない場合に、給湯装置２０２に電力が供給され湯水の加熱を行うものである。即ち、コージェネレーションシステム２００では、貯留タンク２０５における所定温度Ｔ以上の高温の湯水の貯留量に応じて給湯装置２０２への電力供給が制御されている。また、給湯装置２０２による湯水の加熱が不要な場合、制御部２４１によって給湯装置２０２への通電が遮断されており、給湯装置２０２は休止状態にある。
【００４９】
上記したように、制御装置２８１の記憶部２８２は、通電が停止した状態でも記憶されているデータが消去されない不揮発性のメモリである。そのため、給湯装置２０２が休止されても、給湯装置２０２の駆動制御を行う制御装置２８１の記憶部２８２に記憶されている給湯装置２０２の動作履歴に関するデータや、動作状況に関するデータ、動作補正に関するデータ、設置状態や作動状態に関するデータ等に代表される作動状態関連データは消去されない。
【００５０】
制御部２４１は、給湯装置２０２への通電を遮断する前に図６に示すフローチャートに則って上記した作動状態関連データを保存する。さらに具体的には、制御部２４１は、ステップ１において給湯装置２０２による湯水の加熱が不要であると判断した場合、制御フローをステップ２に進める。制御部２４１は、ステップ２において制御装置２８１に対して給湯装置２０２への通電を停止すべく図２に示すように電力停止要求信号を発信する。制御装置２８１は、電力停止要求信号を受けると、ステップ３において上記した作動状態関連データを制御装置２８１の記憶部２８２に記憶させる。制御装置２８１は、ステップ４において作動状態関連データを制御装置２８１に接続された制御部２４１に送信し、制御部２４１の作動状態記憶部２４２に記憶させる。作動状態記憶部２４２に作動状態関連データが記憶されたことを確認すると、制御部２４１は、ステップ５において給湯装置２０２への通電を遮断する。
【００５１】
制御部２４１は、給湯装置２０２の作動停止後、ステップ６において給湯装置２０２の起動の要否を確認する。ステップ６において給湯装置２０２を起動させる必要がある場合、ステップ７において、制御部２４１は給湯装置２０２に電力を供給する。給湯装置２０２に電力が供給されると、制御装置２８１は、ステップ８において記憶部２８２および制御部２４１の作動状態記憶部２４２に保存されている作動状態関連データを読み込む。制御装置２８１は、制御部２４１の作動状態記憶部２４２から読み出された作動状態関連データに基づき、ファン２８０の回転数等を補正して給湯装置２０２を作動させる。
【００５２】
上記したように、本実施形態のコージェネレーションシステム２００では、給湯装置２０２の作動条件を補正するための作動状態関連データが制御装置２８１の記憶部２８２に記憶され、さらに制御部２４１にも記憶されている。そのため、上記したように頻繁に給湯装置２０２への電源供給を遮断してもそのたびに作動状態関連データを読み込んでファン２８０等の動作を補正し、最適な条件下で給湯装置２０２を動作させることができる。
【００５３】
しかし、その一方で、給湯装置２０２を構成するファン２８０やバーナ２５６等のメンテナンスを行っても、作動状態関連データはリセットされることなく保持されているため、この作動状態関連データに基づいて動作の補正を行うと給湯装置２０２の動作が不安定になったり、エネルギー効率が低下するおそれがある。
【００５４】
そこで、本実施形態のコージェネレーションシステム２００は、所定の動作を行うことを条件として作動状態関連データの一部をリセットする構成となっている。さらに詳細には、本実施形態において採用されている給湯装置２０２は、ガスを燃焼することにより発生する熱により湯水を加熱するものであり、従来公知の給湯装置と同様に、メンテナンス時にガスの供給圧の最大値と最小値とを調整する調圧動作を行う。そのため、本実施形態のコージェネレーションシステム２００では、図７のフローチャート図に示すように、制御部２４１が、給湯装置２０２の調圧動作を条件として作動状態関連データの一部である給湯装置２０２の動作補正に関するデータをリセットする。さらに具体的には、制御部２４１は、動作履歴や動作状況に関するデータに基づいて設定されるファン２８０の動作補正に関するデータを消去する。また、給湯装置２０２への通電時間、燃焼動作の積算時間、燃焼動作を行った回数等の給湯装置２０２の動作履歴に関するデータや、バーナセンサ２５４ｃにより検知された電流値、ファン２８０に流れる電流値等の動作状況に関するデータは、リセットせずに累積させる。また、通常コージェネレーションシステム２００の設置条件に関するデータである給湯装置２０２の設置位置に基づく排気補正値や、高度補正値等に代表される給湯装置２０２の作動状態に関するデータ等は、消去されず保持される。
【００５５】
さらに具体的には、図７に示すように、メンテナンスの完了に伴いステップ１において調圧動作が開始すると、制御部２４１は、ステップ２において給湯装置２０２を起動させる。そして、制御部２４１は、バーナ２５６に供給されるガスの供給圧を最大値あるいは最小値に変動させた状態で給湯装置２０２を燃焼動作させ、調圧動作を行う。ステップ３において制御部２４１が調圧動作の完了を確認すると、制御部２４１はステップ４において給湯装置２０２の燃焼動作が完了しているか否かを検知する。ここで、給湯装置２０２の燃焼動作が完了している場合、制御部２４１は、ステップ５において作動状態関連データの一部であるファン２８０の回転数に関するデータのみをリセットする。
【００５６】
上記したように、コージェネレーションシステム２００では、給湯装置２０２を作動させる必要がない場合に、制御部２４１が給湯装置２０２への電力供給を停止させる構成となっている。そのため、上記した構成によれば、コージェネレーションシステム２００の作動に必要なエネルギーを給湯装置２０２の待機電力分だけ低減させることができる。
【００５７】
また、コージェネレーションシステム２００では、給湯装置２０２への通電が停止されても、この給湯装置２０２の動作を補正する作動状態関連データは、制御装置２８１の記憶部２８２に記憶され、さらに制御部２４１の作動状態記憶部２４２にも記憶されている。そのため、上記した構成によれば、給湯装置２０２への通電を頻繁に停止しても、作動状態関連データに基づいて給湯装置２０２の動作の補正を行うことができ、これにより給湯装置２０２の動作を安定化できる。
【００５８】
続いて、本発明の第２実施形態のコージェネレーションシステムについて説明する。図８は、本実施形態のコージェネレーションシステムを示す作動原理図である。また、図９〜図１６は、本実施形態のコージェネレーションシステムにおける湯水の流れを示す作動原理図である。図１７は、本実施形態のコージェネレーションシステムの動作を示すフローチャート図である。図１８は、本発明の第２実施形態であるコージェネレーションシステムの変形例を示す要部拡大図である。
【００５９】
図８において、１は本実施形態のコージェネレーションシステムである。コージェネレーションシステム１は、大別して発電部２と給湯部３とにより構成されるコージェネレーション系Ｓを形成している。発電部２は、ガスエンジン５（熱供給手段Ａ）を備えたものであり、コージェネレーション系Ｓの外にある電気機器等の外部負荷に電力を供給すると共に、発電に伴い発生した排熱により湯水を加熱することができる。即ち、発電部２は、コージェネレーション系Ｓ内において電力と熱の双方を提供可能な熱電併給手段として機能する。
【００６０】
給湯部３は、給湯装置６（熱供給手段Ｂ）を備えたものであり、主として給湯栓７や床暖房やファンコンベクタ等の暖房装置８に供給される湯水を加熱するものである。給湯装置６は、上記第１実施形態において採用されている給湯装置２０２と大部分が同一の構成を有するものであり、制御装置２８１の記憶部２８２に代って、給湯装置６への電源の供給が停止すると記憶されているデータが消去される揮発性のメモリを備えた記憶部２８５が設けられている点が異なる。
【００６１】
コージェネレーションシステム１は、発電部２および給湯部３の駆動を司る制御部１００を持つ駆動制御装置１０２を具備している。制御部１００は、発電部２および給湯部３に設けられた各センサの検知信号に基づいて各弁の開閉を行ったり、各ポンプやガスエンジン５、給湯装置６等の駆動を司るものである。
【００６２】
コージェネレーションシステム１は、主としてガスエンジン５において発生した排熱により湯水を加熱するものである。また、給湯装置６は、ガスエンジン５において発生する熱量が、給湯栓７や暖房装置８等に供給される湯水の加熱に必要とされる熱量に満たない場合に作動し、湯水を加熱するものである。即ち、給湯装置６は、ガスエンジン５による湯水の加熱を補助する補助熱源装置として機能するものである。
【００６３】
発電部２は、大別してガスエンジン５と、ガスエンジン５によって駆動する発電機１０と、ヒータ１１とを具備している。発電部２において発生した電力は、コージェネレーション系Ｓの外部にある電気機器等の外部負荷や、ヒータ１１（内部負荷）に供給される。発電部２は、ガスエンジン５を冷却するための冷却回路１２を具備している。
【００６４】
冷却回路１２は、発電部２の外部、さらに詳細には給湯部３側にある排熱熱交換器３０および暖房熱交換器５７を経由して湯水を循環させるものである。冷却回路１２は、ガスエンジン５からバイパス分岐点Ａを経て排熱熱交換器３０に向けて湯水を流す往き側冷却水路１３と、その分岐水路である往き側分岐水路６１、並びに、排熱熱交換器３０からガスエンジン５側へと湯水を戻す戻り側冷却水路１５と、暖房熱交換器５７から戻る湯水が前記戻り側冷却水路１５に合流する戻り側合流水路６２とから構成されている。即ち、ガスエンジン５には排熱熱交換器３０と暖房熱交換器５７とが前記各水路６１，６２によって並列に接続されている。冷却回路１２内を流れる湯水は、戻り側冷却水路１５の中途に設けられたポンプ１６によって圧送され、戻り側冷却水路１５側から往き側冷却水路１３側へと流れる。戻り側冷却水路１５内を流れる湯水は、ガスエンジン５の駆動に伴い発生した排熱により加熱され往き側冷却水路１３へと流出する。
【００６５】
ガスエンジン５と排熱熱交換器３０とを接続する往き側冷却水路１３の中途には、ヒータ１１が設けられている。ヒータ１１は、発電機１０と外部の電気機器等とを接続する配線１７から分岐された分岐配線１８に接続されている。ヒータ１１には、分岐配線１８を介して外部の電気機器等で消費しきれない余剰電力が供給されており、これにより発電機１０から外部電源（図示せず）への電力の逆潮流が防止されている。さらに詳細には、ヒータ１１は、後述する余剰電力制御部１０１によって制御可能なスイッチ２１が設けられており、このスイッチ２１を調整することによりヒータ１１への通電が調整される。
【００６６】
ガスエンジン５の排熱により加熱され、往き側冷却水路１３内を流れる湯水は、ヒータ１１を通過する際にさらに加熱されて排熱熱交換器３０へと流入する。排熱熱交換器３０において熱交換を行い低温となった湯水は、戻り側冷却水路１５を介してガスエンジン５へと戻る。
【００６７】
戻り側冷却水路１５の中途には、上記したポンプ１６の他に冷却水タンク２２とサーモスタット式の三方弁２５とが設けられている。また、三方弁２５は、後述する戻り側合流水路６２に設けられている三方弁２３と連通する連通流路２４に接続されている。さらに、戻り側冷却水路１５と往き側冷却水路１３との間には、両者をバイパスするバイパス流路２６が設けられている。冷却水タンク２２には、外部から湯水を供給するための給水管２７が設けられており、その中途に設けられている補給水弁２８によって冷却水タンク２２への給水量が調整される。また、三方弁２５は、ガスエンジン５側から排出される湯水の温度に応じて排熱熱交換器３０および暖房熱交換器５７側への湯水の往来を調整するものである。
【００６８】
さらに具体的には、ガスエンジン５の起動直後等のように、ガスエンジン５側から排出される湯水が所定温度以下である場合には、三方弁２５が作用し、排熱熱交換器３０および暖房熱交換器５７への入水が阻止される。即ち、ガスエンジン５側から排出される湯水が低温である場合、三方弁２５の作用によって排熱熱交換器３０および暖房熱交換器５７から戻り側冷却水路１５への通水が阻止されると共に、バイパス流路２６を介して往き側冷却水路１３と戻り側冷却水路１５とが連通した閉回路が形成される。そのため、往き側冷却水路１３内を流れる湯水は、バイパス流路２６を介して直接ガスエンジン５側へと流れ込む。
【００６９】
一方、ガスエンジン５側から排出される湯水が所定温度より高温である場合、三方弁２５の作用によって往き側冷却水路１３内を流れる湯水が、排熱熱交換器３０および暖房熱交換器５７へと流入する。排熱熱交換器３０および暖房熱交換器５７に流入した高温の湯水は、各熱交換器において熱交換を行った後、三方弁２３を介して戻り側冷却水路１５へと流入してガスエンジン５側へと戻る。
【００７０】
給湯部３は、燃料ガスを燃焼し湯水を加熱する給湯装置６と、冷却回路１２内を流れるガスエンジン５の排熱により加熱された湯水と熱交換を行う排熱熱交換器３０と、貯留タンク３１（貯留部）とを具備している。給湯部３は、熱源循環回路３２と、ガスエンジン５および給湯装置６において発生した熱によって加熱された湯水を給湯栓７を介して外部に供給する給湯回路３３とを備え、これに加えて暖房装置８（熱負荷）等の熱負荷に接続される負荷循環回路３５と、湯水を浴槽に供給して循環させる浴槽循環回路３６とを有する。
【００７１】
また、本実施形態のコージェネレーションシステム１には、給湯往路３８および給湯復路４１とからなる熱源循環回路３２と、貯留タンク３１とから構成される流水回路（閉回路）が形成されている。また、コージェネレーションシステム１には、給湯往路３８および給湯復路４１とからなる熱源循環回路３２と、貯留タンク３１と、給湯往路３８から分岐された熱交分岐流路９４から構成される流水回路が形成されている。即ち、コージェネレーションシステム１は、閉回路、あるいは、閉回路に熱交分岐流路９４を加えた流路からなる流水回路を具備している。
【００７２】
熱源循環回路３２は、給湯装置６の出湯口３７に接続された給湯往路３８と、給湯装置６の入湯口４０に接続された給湯復路４１とを有する。熱源循環回路３２では、給湯往路３８が分岐給湯往路８３と貯留部給湯管８７とに分岐される分岐部Ｄ１  の上流側に、比例弁８４が設けられている。また、給湯往路３８は、比例弁８４より上流側の分岐部Ｄ１  においてさらに分岐され、分岐部Ｄ１  とエアセパレータ４６とを繋ぐ熱交分岐流路９４が形成されている。
【００７３】
給湯往路３８は、分岐部Ｄ１において混合弁８０に繋がる分岐給湯往路８３と、貯留タンク３１に繋がる貯留部給湯管８７とに分岐されている。貯留タンク３１には、内部に貯留されている湯水の高さ方向の温度分布を検知するために、最上部温度センサ３４ａ、上部温度センサ３４ｂ、中部温度センサ３４ｃおよび下部温度センサ３４ｄが設けられている。また、給湯復路４１には、熱交換部４５側から順に、エアセパレータ４６と、湯水を循環させる循環ポンプ４７と、排熱熱交換器３０と、給湯復路４１を流れる水量を検知する循環流量センサ５０と、給湯装置６に流入する水量を調整する循環水比例弁５１とが接続されている。給湯復路４１の中途にあるエアセパレータ４６は、熱源循環回路３２中に含まれている空気を外部に排出するものであり、貯留タンク３１の下部に設けられた貯留部排出管８９が接続されている。また、排熱熱交換器３０は、上記した発電部２においてガスエンジン５の駆動に伴い発生した排熱により加熱された湯水と熱交換を行うことにより給湯復路４１を流れる湯水を加熱するものである。そのため、通常ガスエンジン５の駆動中は、排熱熱交換器３０において加熱された湯水が給湯復路４１を介して給湯装置６に流入する。
【００７４】
熱交換部４５は、熱交換分岐流路９４の中途に設けられており、負荷循環回路３５の中途に設けられた負荷熱交換器４２と、負荷熱交出口電磁弁５２とを有する流路４５ａと、浴槽循環回路３６の中途に設けられた追焚熱交換器４３と追焚熱交出口電磁弁５３とを有する流路４５ｂとが並列に配されたものである。そのため、負荷熱交換器４２および追焚熱交換器４３への湯水の流入は、負荷熱交出口電磁弁５２および追焚熱交出口電磁弁５３によって調整される。
【００７５】
負荷熱交換器４２に接続されている負荷循環回路３５は、暖房装置８に湯水を供給する負荷往き側流路５５と、暖房装置８側から湯水を戻す負荷戻り側流路５６とを有する。負荷戻り側流路５６の中途には、暖房熱交換器５７と、負荷戻り側流路５６に湯水を補給する補給水タンク５８と、負荷戻り側流路５６から補給水タンク５８に流入する湯水の温度を検知する湯温センサ５４と、負荷戻り側流路５６内に湯水を循環させるための循環ポンプ６０とが設けられている。また、負荷循環回路３５には、暖房装置８への湯水の流入を阻止する弁（図示せず）が閉止状態である場合に循環ポンプ６０等に過負荷が作用するのを防止すべく、負荷往き側流路５５と負荷戻り側流路５６とをバイパスするバイパス流路６３が設けられている。
【００７６】
暖房熱交換器５７には、上記した発電部２の往き側冷却水路１３から分岐された往き側分岐水路６１と、戻り側冷却水路１５から分岐された戻り側合流水路６２とが接続されており、ガスエンジン５の排熱により加熱された高温の湯水が循環する。そのため、暖房装置８において放熱して低温となった湯水は、暖房熱交換器５７において往き側分岐水路６１により供給された高温の湯水と熱交換し、加熱される。暖房熱交換器５７において加熱された湯水は、補給水タンク５８を経て負荷熱交換器４２に流入し、負荷熱交換器４２での熱交換によりさらに加熱されたのち再び暖房装置８側へと送り込まれる。
【００７７】
追焚熱交換器４３に接続されている浴槽循環回路３６は、浴槽側に湯水を送り込む浴槽往き側流路６５と、浴槽側から湯水を戻す浴槽戻り側流路６６とを備えている。浴槽戻り側流路６６の中途には、浴槽内の水位を検知する水位センサ６７と、循環ポンプ６８と、水流スイッチ７０とが設けられている。また、浴槽戻り側流路６６の中途、さらに詳細には循環ポンプ６８と水流スイッチ７０との中間には、後述する給湯回路３３から分岐された給湯分岐流路７１が接続されている。給湯分岐流路７１には、給湯回路３３側から浴槽戻り側流路６６側への通水のみを許す逆止弁７２と、浴槽戻り側流路６６側に流入する水量を調整する注湯弁７３と、給湯分岐流路７１内を流れる湯水の流量を検知する流量センサ７５とが設けられている。
【００７８】
上記したように、浴槽戻り側流路６６には、給湯回路３３側からの湯水の流入を許す給湯分岐流路７１が接続されているため、浴槽往き側流路６５に加えて浴槽戻り側流路６６からも湯水を浴槽側に落とし込むことができる。
【００７９】
給湯回路３３は、給湯往路３８の中途で分岐された分岐給湯往路８３と、外部から湯水を供給する給水管８５とに混合弁８０を介して接続された流路である。また、給湯回路３３の中途には、流量センサ８１と、比給湯温度センサ９５と、例弁８２とが設けられている。
【００８０】
給水管８５は、中途に減圧弁８８と、外部から導入される湯水の温度を検知する水温センサ９３と、混合弁８０側に湯水を導く逆止弁９０とが設けられた流路であり、混合弁８０に接続されている。
【００８１】
給水管８５の中途には、外部から導入された湯水を貯留タンク３１側に向けて供給する貯留部給水管９１が接続されている。貯留部給水管９１は、貯留タンク３１の底部側に接続されており、中途に給水管８５側から貯留タンク３１側へ湯水を導く逆止弁８６が設けられている。また、貯留タンク３１の底部には、貯留タンク３１から湯水を排出する貯留部排出管８９が接続されている。貯留部排出管８９は、前記した通り給湯装置６の入湯口４０に繋がる給湯復路４１にエアセパレータ４６を介して接続されている。さらに、貯留タンク３１の上部には、分岐給湯往路８３から分岐され、貯留タンク３１への湯水の流出入を行うための貯留部給湯管８７が接続されている。貯留タンク３１には、貯留部給湯管８７を通って貯留タンク３１の外部に流出する湯水と略同量の湯水が貯留部給水管９１を介して給水されるため、貯留タンク３１は常に満水状態に維持される。
【００８２】
本実施形態のコージェネレーションシステム１は、主として発電部２のガスエンジン５において発生する排熱や、発電部２において発生した余剰電力を用いることによりヒータ１１を作動させて発生する熱により加熱された湯水を使用するものである。さらに具体的には、図９に示すように、コージェネレーションシステム１では、発電部２において発電を行う際に、駆動制御装置１０２の制御部１００は、ポンプ１６を作動させて冷却回路１２内に湯水を循環させ、ガスエンジン５を冷却する。これにより加熱された湯水は、冷却回路１２内を循環し、次第に高温になる。また、冷却回路１２内を流れる湯水は、発電部２において発生したものの、コージェネレーション系Ｓの外部に接続された電気機器等において消費しきれない余剰電力で作動するヒータ１１によって加熱される。ガスエンジン５の排熱およびヒータ１１において加熱され、高温となった湯水は、給湯部３の給湯復路４１に接続された排熱熱交換器３０に流れ込む。
【００８３】
一方、発電部２が作動を開始すると、制御部１００は、循環ポンプ４７を起動する。この時、混合弁８０は、分岐給湯往路８３に対して閉止されており、熱交換部４５の負荷熱交出口電磁弁５２および追焚熱交出口電磁弁５３のうち少なくともいずれか一方が開成されている。そのため、貯留タンク３１と熱源循環回路３２と貯留部給湯管８７とにより構成される閉回路、並びに、熱源循環回路３３と熱交分岐流路９４と熱交換部４５によって形成される閉回路内を湯水が循環する。これらの閉回路内を流れる湯水は、給湯復路４１の中途に設けられた排熱熱交換部３０において、発電部２において加熱された湯水と熱交換され、次第に高温になり、その高温の湯水の一部が貯留部給湯管８７から貯留タンク３１内に貯留される。
【００８４】
貯留タンク３１内に高温の湯水が十分に貯留されている状態で給湯栓７が開栓され、流量センサ８１が給湯回路３３における流水を検知すると、制御部１００は、コージェネレーションシステム１に対する給湯要求を確認する。さらに詳細には、制御部１００は、貯留タンク３１に設置された上部温度センサ３４ｂの検知温度が、給湯の設定温度（給湯設定温度Ｔｑ）および外部から導入される湯水の温度（入水温度）に基づいて決定される所定温度Ｔ以上であるか否かによって貯留タンク３１における高温の湯水の貯留状況を判断する。即ち、上部温度センサ３４ｂの検知温度が、所定温度Ｔよりも高温である場合、制御部１００は、貯留タンク３１内に高温の湯水が所定量以上貯留されているものと判断する。そしてこの状態で流量センサ８１が水流を検知すると、制御部１００は、コージェネレーションシステム１に対して給湯要求があるものと判断する。
【００８５】
制御部１００が給湯要求を確認すると、循環ポンプ４７を停止すると共に、循環水比例弁５１および比例弁８４を閉止あるいはその開度を大幅に絞る。そのため、図１０に示すように、外部から供給され、貯留部給水管９１から貯留タンク３１の底部に流入した湯水によって、貯留タンク３１内に貯留されている湯水が上方に押し上げられ、貯留部給湯管８７から流出する。貯留部給湯管８７から流出した湯水は、分岐給湯往路８３内を流れて混合弁８０に至る。一方、混合弁８０には、給水管８５を介して外部から低温の湯水が供給されている。貯留タンク３１から出た高温の湯水は、混合弁８０において外部から供給された低温の湯水と所定比で混合され、給湯回路３３および給湯栓７を介してコージェネレーション系Ｓの外部に排出される。
【００８６】
また、貯留タンク３１内に高温の湯水が貯留されている高温の湯水は、コージェネレーション系Ｓの外部にある浴槽への湯水の落とし込みにも使用される。さらに具体的には、浴槽内に湯水を落とし込む場合、制御部１００は、循環ポンプ４７および循環ポンプ６８を停止すると共に、循環水比例弁５１および比例弁８４を閉止あるいはその開度を大幅に絞る。またこの際、貯留タンク３１の底部側に接続された貯留部給水管９１を介して外部から湯水が供給される。そのため、貯留タンク３１内に貯留されている高温の湯水は、図１１に示すように、底部から流入した湯水によって頂部側に移動し、貯留部給湯管８７から押し出される。貯留部給湯管８７から流出した高温の湯水は、分岐給湯往路８３内を混合弁８０に向けて流れる。混合弁８０に流入した高温の湯水は、給水管８５を介して混合弁８０に流入した低温の湯水と混合された後、給湯回路３３から分岐された給湯分岐流路７１に流れ込む。給湯分岐流路７１を流れる湯水の一部は、給湯分岐流路７１に直接連結された浴槽戻り側流路６６を介して浴槽内に落とし込まれる。また、給湯分岐流路７１を流れる湯水の残部は、浴槽戻り側流路６６に接続された追焚熱交換器４３を迂回し、浴槽往き側流路６５を介して浴槽内に落とし込まれる。
【００８７】
コージェネレーションシステム１では、発電部２において発生する熱によって暖房運転が行われる。さらに具体的には、コージェネレーション系Ｓの外部にある暖房装置８が起動される場合、制御部１００は暖房装置８の設定温度（暖房設定温度Ｔｄ）に基づき、コージェネレーションシステム１に要求される熱量（暖房要求熱量Ｑｄ）を算出する。そして、制御部１００は、暖房要求熱量Ｑｄが、ガスエンジン５の作動に伴い発電部２において発生可能な熱量（境界熱量Ｑｅ）よりも大きいか否かを確認する。ここで暖房要求熱量Ｑｄが境界熱量Ｑｅよりも小さい場合、制御部１００は、図１２に示すように循環ポンプ６０を起動させ、湯水を負荷循環回路３５内に循環させる。この時、制御部１００によって発電部２のガスエンジン５およびポンプ１６が起動される。また、ガスエンジン５の作動に伴い、発電部２において余剰電力が発生した場合、この余剰電力によってヒータ１１が作動する。
【００８８】
発電部２の冷却回路１２内を流れる湯水が高温になると、三方弁２３，２５の作用により冷却回路１２内を流れる湯水が暖房熱交換器５７内を迂回し始める。これにより、コージェネレーション系Ｓの外部にある暖房装置８からコージェネレーションシステム１に戻る湯水が、暖房熱交換器５７において加熱される。暖房熱交換器５７において加熱された湯水は、熱交換部４５の負荷熱交換器４２を素通りし、負荷往き側流路５５を介して暖房装置８に供給される。
【００８９】
コージェネレーションシステム１では、暖房運転と同様にして発電部２において発生する熱によって浴槽内の湯水の追焚きが行われる。さらに具体的には、コージェネレーションシステム１が浴槽内の湯水を追焚きする場合、制御部１００は追焚きの設定温度（追焚設定温度Ｔｏ）や、浴槽内に貯留されている湯水の温、水量に基づいて、追焚きに必要な熱量（追焚要求熱量Ｑｏ）を算出する。制御部１００は、追焚要求熱量Ｑｏと上記した境界熱量Ｑｅとを比較する。ここで追焚要求熱量Ｑｏが境界熱量Ｑｅよりも小さい場合、制御部１００は、図１３に示すように発電部２のガスエンジン５およびポンプ１６を起動させ、冷却回路１２内を流れる湯水の加熱を行う。その一方、制御部１００は、循環水比例弁５１と追焚熱交出口電磁弁５３とを開成し、負荷熱交出口電磁弁５２と比例弁８４とを閉成する。
【００９０】
制御部１００は、循環ポンプ４７を起動させ、熱源循環回路３２、熱交分岐流路９４および流路４５ｂによって形成される閉回路内に湯水を循環させる。この閉回路内を流れる湯水は、排熱熱交換器３０において発電部２において加熱され、冷却回路１２内を流れる湯水と熱交換を行う。
【００９１】
一方、制御部１００は、循環ポンプ６８を起動させ、浴槽循環回路３６内に浴槽内の湯水を循環させる。浴槽循環回路３６内を流れる浴槽内に貯留されている湯水は、追焚熱交換器４３において熱交換を行い加熱される。
【００９２】
コージェネレーションシステム１は、貯留タンク３１内の湯水が低温の状態で、制御部１００が給湯要求を検知した場合や、浴槽循環回路３６に接続された浴槽内の湯水を追焚きする場合や、暖房装置８に上記した場合よりも高温の湯水を供給すべき場合に給湯装置６を起動させ、これにより加熱された湯水を使用するものである。
【００９３】
さらに具体的に説明すると、貯留タンク３１内の湯水が低温の状態で、制御部１００が給湯要求を検知した場合、即ち流量センサ８１が水流を検知した場合、制御部１００は、負荷熱交出口電磁弁５２、追焚熱交出口電磁弁５３、注湯弁７３を閉成すると共に、循環水比例弁５１、分岐給湯往路８３を開成する。この時、外部から供給される湯水は、図１４に示すように貯留タンク３１および貯留部排出管８９を介して給湯復路４１内に流入する。
【００９４】
循環流量センサ５０が給湯復路４１における流水を検知すると、制御部１００は、給湯装置６に電力を供給して給湯装置６を起動させる。そして、給湯装置６の制御装置２８１は、所定の着火動作を行い、燃焼動作を開始させる。
【００９５】
給湯装置６が燃焼動作を開始すると、これによって発生した熱により入湯口４０から流入した湯水が加熱され、出湯口３７から流出する。出湯口３７から流出した高温の湯水は、給湯往路３８および分岐給湯往路８３を介して混合弁８０に流入し、給水管８５を介して供給された低温の湯水と混合された後、給湯回路３３を介して外部に排出される。
【００９６】
コージェネレーションシステム１では、暖房装置８を作動させる場合であって、暖房装置８に高温の湯水を供給すべき場合、即ち暖房設定温度Ｔｄに基づき算出される暖房要求熱量Ｑｄがガスエンジン５の作動に伴い発電部２において発生可能な熱量である境界熱量Ｑｅを越える場合に、発電部２のガスエンジン５に加えて給湯装置６を作動させる。要するに、暖房装置８側から戻る湯水の温度が極めて低い場合や暖房装置８の設定温度が高い場合には、給湯装置６を起動させ、ガスエンジン５やヒータ１１による湯水の加熱を補助する。
【００９７】
さらに具体的に説明すると、暖房装置８に高温の湯水を供給すべき場合、制御部１００は、上記と同様にガスエンジン５およびポンプ１６を起動させ、これにより加熱された湯水を図１５に示すように暖房熱交換器５７に循環させることにより、暖房装置８からコージェネレーションシステム１に戻る湯水を加熱する。
【００９８】
これに加えて、制御部１００は、追焚熱交出口電磁弁５３および比例弁８４を閉成し、循環水比例弁５１および負荷熱交出口電磁弁５２を開成する。また、制御部１００によって循環ポンプ４７が起動される。これにより、図１５に示すように、熱源循環回路３２、熱交分岐流路９４、流路４５ａによって形成される閉回路内を湯水が循環し始める。
【００９９】
循環ポンプ６０の作動に伴い負荷循環回路３５内を流れる湯水は、流路４５ａに設けられた負荷熱交換器４２を循環する。そのため、暖房熱交換器５７において加熱され、負荷戻り側流路５６内を流れる湯水は、負荷熱交換器４２においてさらに加熱された後、暖房装置８に供給される。
【０１００】
コージェネレーションシステム１により浴槽循環回路３６に接続された浴槽内の湯水を追焚きする場合であって、追焚設定温度Ｔｏまで浴槽内の湯水を追焚きするのに要する追焚要求熱量Ｑｏが、境界熱量Ｑｅを越える場合、制御部１００は給湯装置６を起動させる。
【０１０１】
この場合、制御部１００は、負荷熱交出口電磁弁５２、注湯弁７３および比例弁８４を閉成し、循環水比例弁５１および追焚熱交出口電磁弁５３を開成する。また、制御部１００は、循環ポンプ４７，６８を起動される。これにより、図１６に示すように、熱源循環回路３２、熱交分岐流路９４、流路４５ｂによって形成される閉回路内を湯水が循環し始める。
【０１０２】
循環流量センサ５０が水流を検知すると、制御部１００は、給湯装置６に電力を供給して給湯装置６を起動させる。この後、給湯装置６の制御装置２８１は、所定の着火動作を行い、燃焼動作を開始させる。そのため、上記した閉回路内を流れる湯水は給湯装置６において加熱され高温になる。
【０１０３】
一方、循環ポンプ６８の起動に伴い、浴槽に連結された浴槽循環回路３６内を湯水が循環する。上記したように、浴槽循環回路３６は、熱交換部４５の追焚熱交換器４３に接続されている。そのため、浴槽循環回路３６内を循環する湯水は、追焚熱交換器４３において給湯装置６において加熱され流路４５ｂを流れる高温の湯水と熱交換を行い、徐々に加熱される。
【０１０４】
本実施形態のコージェネレーションシステム１は、貯留タンク３１内の湯水が低温である場合の給湯や、浴槽内の湯水の追焚きや、高温の湯水を暖房装置８に供給する場合に給湯装置６により湯水を加熱するものである。また逆に、コージェネレーションシステム１は、給湯装置６を作動させる必要がない場合に発電部２において発生したエネルギーによって加熱された湯水を使用する。要するに、コージェネレーションシステム１は、主として発電部２の作動に伴って加熱された湯水を使用するものであり、発電部２の作動に伴って発生する熱量が不足する場合に限って給湯装置６を作動させるものである。
【０１０５】
制御部１００は、コージェネレーションシステム１の総合エネルギー効率を高レベルに維持すべく、給湯装置６による湯水の加熱が不要な場合に給湯装置６への通電を遮断し、給湯装置６を休止状態とする。
【０１０６】
上記したように、給湯装置６の作動を司る制御装置２８１が備える記憶部２８５は、揮発性のメモリを備えたものである。そのため、給湯装置６が休止状態となると、給湯装置６への通電時間等の給湯装置２０２の動作履歴に関する累積値や、ファン２８０に流れる電流値等のような給湯装置２０２の動作状況に関するデータ、動作履歴や動作状況に関するデータに基づいて設定される、ファン２８０等の動作補正に関するデータ、高度補正値等の設置状態や作動状態に関するデータ等が全て消去されてしまう。
【０１０７】
本実施形態のコージェネレーションシステム１では、上記した作動状態関連データに基づいて給湯装置６の動作を補正し、給湯装置６の動作安定性を確保している。そのため、給湯装置６への通電の停止に伴って作動状態関連データが消去されてしまうと、給湯装置６の動作安定性が低下してしまう。
【０１０８】
そのため、本実施形態では、給湯装置６の作動中に制御装置２８１の記憶部２８５に保持されている作動状態関連データをバックアップ可能な作動状態記憶部１０５が、コージェネレーションシステム１全体の制御を行う制御部１００に設けられている。作動状態記憶部１０５は、制御部１００への通電が停止した状態であっても記憶されたデータを保持可能な不揮発性のメモリにより構成されている。
【０１０９】
コージェネレーションシステム１では、給湯装置６への通電が遮断される直前に図１７に示すフローチャートに則って作動状態関連データを制御部１００に送信し、作動状態記憶部１０５に記憶する。即ち、コージェネレーションシステム１では、制御装置２８１に設けられた記憶部２８５が揮発性のメモリであるため、上記第１実施形態において説明した図６に示すフローチャートのステップ３に相当する制御フローが省略されており、その他の点においては同様の動作を行う。さらに詳細には、コージェネレーションシステム１は、給湯装置６の作動中は作動状態関連データが記憶部２８５に保持されており、給湯装置６の作動が不要になると作動状態関連データが制御部１００へと送信され、作動状態記憶部１０５に記憶された後に給湯装置６への通電が停止される。そして、給湯装置６を起動させる場合、制御部１００は、作動状態関連データを作動状態記憶部１０５から給湯装置６の制御装置２８１に送信し、記憶部２８５に記憶させる。制御装置２８１は、記憶部２８５に記憶された作動状態関連データに基づき、ファン２８０等の動作を補正して給湯装置６を起動し、湯水の加熱を開始する。
【０１１０】
本実施形態のコージェネレーションシステム１では、給湯装置６への通電が停止されると記憶部２８５に記憶された作動状態関連データが消去されるが、給湯装置６が起動する度に作動状態関連データが制御部１００の作動状態記憶部１０５から制御装置２８１の記憶部２８５に復帰する。そのため、上記した構成によれば、給湯装置６への電力供給を頻繁に停止しても、給湯装置６の動作安定性は損なわれない。
【０１１１】
本実施形態のコージェネレーションシステム１では、給湯装置６の動作を補正するための作動状態関連データが不揮発性のメモリを備えた作動状態記憶部１０５に記憶されている。そのため、給湯装置６のメンテナンス後のように作動状態関連データの一部をリセットする必要があっても、給湯装置６およびコージェネレーションシステム１への通電を停止するだけでは作動状態関連データのリセットができない。
【０１１２】
そのため、制御部１００は、給湯装置６のメンテナンス後等に上記第１実施形態の制御部２４１と同様に図７のフローチャートに則って給湯装置６の調圧動作を行うことを条件として、作動状態記憶部１０５に記憶されている作動状態関連データの一部であるファン２８０の回転数に関するデータをリセットできる構成となっている。従って、コージェネレーションシステム１は、メンテナンス等により給湯装置６の作動条件が変化した場合に、作動状態関連データの一部を消去し、給湯装置６の動作を最適化できる。
【０１１３】
上記実施形態のコージェネレーションシステム１は、貯留タンク３１への湯水の貯留、給湯、追焚き、暖房、落とし込みのいずれか一つあるいは複数の動作を同時に行うことができる。かかる場合であっても、貯留タンク３１内に貯留されている湯温の高低の判断基準となる温度Ｔは、外部から供給される湯水の入水温度を加味して決定されることが望ましい。
【０１１４】
本実施形態のコージェネレーションシステム１では、給湯および落とし込みに使用される湯水は、共に混合弁８０において調整される。即ち、コージェネレーションシステム１では、単一の混合弁８０で給湯および落とし込みに使用される湯温の調整を行っている。一方、湯温を給湯設定温度Ｔｑあるいは浴槽設定温度Ｔｙに応じた温度に調整するためには、これらの設定温度Ｔｑ，Ｔｙよりも高温の湯水を混合弁８０に供給する必要がある。そのため、貯留タンク３１内の湯水により給湯と落とし込みとを同時に行う場合、貯留タンク３１内に貯留されている湯温の高低の判断基準となる温度Ｔは、設定温度Ｔｑ，Ｔｙのうち高温側の設定温度に応じて決定されることが望ましい。
【０１１５】
しかし、コージェネレーションシステム１では、単一の混合弁８０で湯温の調整を行っているため、温度Ｔを設定温度Ｔｑ，Ｔｙのうち高温側の設定温度に応じて決定した場合、給湯および落とし込みの双方の出湯温度が高温になるおそれがある。そのため、かかる条件に基づいて温度Ｔを設定すると、例えば給湯設定温度Ｔｑが浴槽設定温度Ｔｙよりも過度に高い場合に、浴槽に落とし込まれる湯水が過度に高温になってしまい、入浴時の快適性が損なわれるばかりか、入浴者が浴槽内の湯水で火傷等を負うおそれがある。また逆に、浴槽設定温度Ｔｙが給湯設定温度Ｔｑよりも高い場合は、給湯温度が多少低下するが、浴槽に落とし込まれる湯水は適温であり、入浴者が火傷等を負うおそれがない。そのため、上記したコージェネレーションシステム１のように単一の混合弁８０で給湯および落とし込みに使用される湯温を調整する構成であって、貯留タンク３１内の湯水を直接使用して給湯と、浴槽への湯水の落とし込みとを同時に行う場合、貯留タンク３１内に貯留されている湯温の高低の判断基準となる温度Ｔは、給湯の設定温度（給湯設定温度Ｔｑ）の高低によらず、浴槽に落とし込まれる湯水の設定温度（浴槽設定温度Ｔｙ）に応じて、決定されることが望ましい。
【０１１６】
上記したように、本実施形態のコージェネレーションシステム１では、給湯および落とし込みに使用される湯温の調整手段を、単一の混合弁８０で賄う構成であったが、本発明はこれに限定されるものではなく、例えば図１８に示すように給湯用の混合弁（湯温調整手段）と落とし込み用の混合弁（湯温調整手段）とを別個に持ち、それぞれの湯温調整手段にコージェネレーション系Ｓ内で加熱された湯水を供給する構成とすることも可能である。さらに具体的には、分岐給湯往路８３を途中で分岐し、この一方の流路８３ａを給湯回路３３に繋がる混合弁８０に接続し、もう一方の流路８３ｂを浴槽循環回路３６に湯水を供給する流路７１ａに繋がる混合弁８０ａに接続した構成とすることも可能である。
【０１１７】
図１８に示すように、給湯用の混合弁と落とし込み用の混合弁とを別個に持ち、それぞれの湯温調整手段にコージェネレーション系Ｓ内で加熱された湯水を供給する構成とした場合、給湯用の湯温調整と落とし込みようの湯温調整とは、別個独立した混合弁８０，８０ａによって行われる。そのため、貯留タンク３１内に貯留されている湯温の高低の判断基準となる温度Ｔは、給湯の設定温度（給湯設定温度Ｔｑ）および落とし込まれる湯水の設定温度（浴槽設定温度Ｔｙ）のいずれに基づいて設定されてもよい。即ち、給湯設定温度Ｔｑが浴槽設定温度Ｔｙに対して過度に高温であっても、浴槽内の湯水は浴槽設定温度Ｔｙに応じた温度に調整される。
【０１１８】
一方、湯温を給湯設定温度Ｔｑあるいは浴槽設定温度Ｔｙに応じた温度に調整するためには、当該設定温度Ｔｑ，Ｔｙよりも高温の湯水と、外部から導入された湯水とを混合する必要がある。そのため、貯留タンク３１内の湯水を直接使用する複数の動作を同時に行う場合、貯留タンク３１内に貯留されている湯温の高低の判断基準となる温度Ｔは、複数の動作の設定温度のうち最も高温の設定温度に応じて決定されることが望ましい。さらに具体的には、図１８に示すように給湯と落とし込みとを同時に行う場合、温度Ｔは、給湯設定温度Ｔｑあるいは浴槽設定温度Ｔｙのうち高い方の温度に応じて決定されることが望ましい。
【０１１９】
上記第１実施形態、第２実施形態、並びに、図１８に示す例では、いずれも給湯用、暖房用、落とし込み用の湯水供給流路の一又は複数の流路をそれぞれ一系統ずつ備えたものであったが、本発明はこれに限定されるものではなく、例えば給湯用の湯水供給流路（給湯回路３３）を複数備えたものであってもよい。
【０１２０】
上記第１、第２実施形態のコージェネレーションシステム１，２００は、共に調圧動作を行うことを条件として給湯装置６，２０２の動作を補正する作動状態関連データの一部を消去するものであったが、本発明はこれに限定されるものではなく、例えば別途リセットスイッチ等を設けておいてこのリセットスイッチを作動させることを条件として作動状態関連データの一部あるいは全部を消去するものとすることも可能である。
【０１２１】
【発明の効果】
請求項１に記載の発明によれば、熱供給手段Ａの加熱能力を補完する熱供給手段Ｂによる湯水の加熱が不要な場合に熱供給手段Ｂへの通電を停止できる。
【０１２２】
請求項２に記載の発明によれば、貯留手段に貯留されている所定温度以上の湯水の量に応じて、熱供給手段Ｂへの通電を停止し、コージェネレーションシステム全体の総合エネルギー効率をより一層向上させることができる。
【０１２３】
請求項３，４に記載の発明によれば、湯水供給流路を介して系外に排出又は循環させる湯水の温度を精度よく調整することができる。
【０１２４】
請求項５に記載の発明によれば、給湯と落とし込みとを同時に行う場合であっても、快適に入浴可能な温度の湯水を浴槽内に落とし込むことができる。
【０１２５】
請求項６に記載の発明によれば、熱供給手段Ｂへの電力の供給を頻繁に停止しても、熱供給手段Ｂの起動時の動作安定性が高いコージェネレーションシステムを提供できる。
【０１２６】
請求項７に記載の発明によれば、必要に応じて記憶手段に記憶された補正値をリセットすることができ、熱供給手段Ｂの動作の安定性をより一層向上させることが可能である。
【図面の簡単な説明】
【図１】本発明の第１実施形態であるコージェネレーションシステムの作動原理図である。
【図２】図１のコージェネレーションシステムにおいて採用されている給湯装置を示す作動原理図である。
【図３】本発明の第１実施形態であるコージェネレーションシステムにおける湯水の流れを示す作動原理図である。
【図４】本発明の第１実施形態であるコージェネレーションシステムにおける湯水の流れを示す作動原理図である。
【図５】本発明の第１実施形態であるコージェネレーションシステムにおける湯水の流れを示す作動原理図である。
【図６】本発明の第１実施形態であるコージェネレーションシステムの動作を示すフローチャート図である。
【図７】本発明の第１実施形態であるコージェネレーションシステムの動作を示すフローチャート図である。
【図８】本発明の第２実施形態であるコージェネレーションシステムを示す作動原理図である。
【図９】本発明の第２実施形態であるコージェネレーションシステムにおける湯水の流れを示す作動原理図である。
【図１０】本発明の第２実施形態であるコージェネレーションシステムにおける湯水の流れを示す作動原理図である。
【図１１】本発明の第２実施形態であるコージェネレーションシステムにおける湯水の流れを示す作動原理図である。
【図１２】本発明の第２実施形態であるコージェネレーションシステムにおける湯水の流れを示す作動原理図である。
【図１３】本発明の第２実施形態であるコージェネレーションシステムにおける湯水の流れを示す作動原理図である。
【図１４】本発明の第２実施形態であるコージェネレーションシステムにおける湯水の流れを示す作動原理図である。
【図１５】本発明の第２実施形態であるコージェネレーションシステムにおける湯水の流れを示す作動原理図である。
【図１６】本発明の第２実施形態であるコージェネレーションシステムにおける湯水の流れを示す作動原理図である。
【図１７】本発明の第２実施形態であるコージェネレーションシステムの動作を示すフローチャート図である。
【図１８】本発明の第２実施形態であるコージェネレーションシステムの変形例を示す要部拡大図である。
【符号の説明】
１，２００  コージェネレーションシステム
２  発電部
３  給湯部
５  ガスエンジン（熱供給手段Ａ）
６，２０２  給湯装置（熱供給手段Ｂ）
３１，２０５  貯留タンク（貯留部）
３３，２０７  給湯回路
３５  負荷循環回路
３６  浴槽循環回路
１００，２４１  制御部
１０２  駆動制御装置
１０５  作動状態記憶部
２０１  発電手段（熱供給手段Ａ）
２８１  制御装置
２８２，２８５  記憶部
Ｓ  コージェネレーション系
【図１】
2004263901.tif 000003
【図２】
2004263901.tif 000004
【図３】
2004263901.tif 000005
【図４】
2004263901.tif 000006
【図５】
2004263901.tif 000007
【図６】
2004263901.tif 000008
【図７】
2004263901.tif 000009
【図８】
2004263901.tif 000010
【図９】
2004263901.tif 000011
【図１０】
2004263901.tif 000012
【図１１】
2004263901.tif 000013
【図１２】
2004263901.tif 000014
【図１３】
2004263901.tif 000015
【図１４】
2004263901.tif 000016
【図１５】
2004263901.tif 000017
【図１６】
2004263901.tif 000018
【図１７】
2004263901.tif 000019
【図１８】
2004263901.tif 000020